(57)【要約】【課題】ユーザが手動で切り替えることなく二次元映像又は三次元映像を選択的に表示部に表示する。【解決手段】画像表示装置１００は、表示部２と、判定部６と、表示制御部９とを備えている。表示部２は二次元映像又は三次元映像を選択して表示する。判定部６は表示部２に配置される裸眼立体視用パネル３０の着脱を判定する。表示制御部９は判定部６の判定に基づいて、表示部２に二次元映像又は三次元映像を選択して表示させる。【選択図】図１
2012256988.tif 000002
【特許請求の範囲】
【請求項１】
二次元映像又は三次元映像を選択して表示可能な表示部と、
前記表示部に着脱可能に配置される裸眼立体視用パネルの着脱を判定する判定部と、
前記判定部の判定に基づいて、前記表示部に二次元映像又は三次元映像を選択して表示させる表示制御部と、
を備える画像表示装置。
【請求項２】
前記裸眼立体視用パネルの少なくとも一部に設けられた識別部を撮像する撮像部を備え、
前記判定部は、前記撮像部が撮像した前記識別部の画像を用いて前記裸眼立体視用パネルの着脱を判定する
請求項１記載の画像表示装置。
【請求項３】
前記表示制御部は、
前記裸眼立体視用パネルの装着が初回の際に、前記撮像部が撮像した前記識別部の画像における位置情報を初期値として記憶する記憶部と、
前記記憶部に記憶された前記初期値と、前記裸眼立体視用パネルの装着が２回目以降の際に、前記撮像部が撮像した前記識別部の画像における位置情報を比較して、校正値を算出する算出部と、を有し、
前記裸眼立体視用パネルの装着が２回目以降である場合には、前記算出部により算出された前記校正値に基づいて三次元映像の表示位置を修正する
請求項２記載の画像表示装置。
【請求項４】
前記判定部は、前記裸眼立体視用パネルの前記識別部を用いて前記裸眼立体視用パネルが前記表示部に適合するか否かを判定する
請求項２記載の画像表示装置。
【請求項５】
二次元映像又は三次元映像を選択して表示可能な画像表示装置に着脱可能に取り付けられるパネル本体と、
前記パネル本体に設けられ、前記画像表示装置の判定部により前記パネル本体の着脱を認識させる識別部と、
を備える裸眼立体視用パネル。
【請求項６】
前記画像表示装置の撮像部は、顔認識用の画像を撮像し、
前記識別部は、前記撮像部が撮像する前記顔認識用の画像に影響を与えない色又は形状により形成される
請求項５記載の裸眼立体視用パネル。
【請求項７】
前記識別部は、前記パネル本体の大きさや厚さ、前記パネル本体における透過部の解像度のうち少なくとも１つを識別情報として有する
請求項５記載の裸眼立体視用パネル。
【請求項８】
前記パネル本体を前記画像表示装置の表示部に着脱可能に装着する取付部を有する
請求項５記載の裸眼立体視用パネル。
【請求項９】
前記取付部は弾性材料で形成される
請求項８記載の裸眼立体視用パネル。
【請求項１０】
前記取付部は、
前記パネル本体の一端部に配置された第１の取付部と、
前記パネル本体の一端部と反対側にある他端部に配置され、前記第１の取付部の弾性率よりも小さい弾性率を有する第２の取付部と、からなる
請求項９記載の裸眼立体視用パネル。
【発明の詳細な説明】
【技術分野】
【０００１】
本開示は、二次元映像又は三次元映像を選択して表示する画像表示装置、及び、この画像表示装置に装着される裸眼立体視用パネルに関する。
【背景技術】
【０００２】
近年、映像を表示するディスプレイに裸眼立体視用パネルであるレンチキュラーレンズを装着して、三次元映像を裸眼で視認可能な技術が提案されている（例えば、特許文献１及び特許文献２参照）。
【０００３】
特許文献１には、裸眼立体視用パネルである立体実現装置をディスプレイの表面に装着する技術が記載されている。この立体実現装置をディスプレイに装着するために、取付器具が用いられている。この取付器具は、取り外し自在のバネハンドルと、ディスプレイと立体実現装置を定着するバネクリップ取り付け部とを有する。そして、取付器具は、ディスプレイの背面部と立体実現装置におけるディスプレイとの当接している面と反対側の面をバネクリップ取り付け部により挟んでいる。
【０００４】
また、特許文献２には、表示部としての液晶パネルと、裸眼立体視用パネルとしてレンチキュラーレンズシートとを備える電子光学装置が記載されている。このレンチキュラーレンズシートは、液晶パネルの前面側に配設されている。また、レンチキュラーレンズシートには、液晶パネルとレンチキュラーレンズシートとの位置合わせを行うアライメントラインが形成されている。
【先行技術文献】
【特許文献】
【０００５】
【特許文献１】特表２００５−５０７０９１号公報
【特許文献２】特開２０１０−２３１００９号公報
【発明の概要】
【発明が解決しようとする課題】
【０００６】
しかしながら、特許文献１に記載された立体実現装置は、ユーザがディスプレイに表示されたテスト画像を見ながら装着位置を毎回調整する必要があった。また、ユーザは裸眼立体視用パネルを着脱するたびにディスプレイに表示させる二次元映像又は三次元映像を手動で切り替えていた。
【０００７】
また、特許文献２に記載された電子光学装置でも、裸眼立体視用パネルを着脱するたびにユーザがディスプレイに表示させる二次元映像又は三次元映像を手動で切り替えていた。
【０００８】
本開示は、上記の問題点を考慮し、二次元映像又は三次元映像を手動で切り替える必要のない画像表示装置及びその画像表示装置に装着される裸眼立体視用パネルを提供することである。
【課題を解決するための手段】
【０００９】
上記課題を解決するために、本開示の画像表示装置は、表示部と、判定部と、表示制御部とを備えている。表示部は二次元映像又は三次元映像を選択して表示する。判定部は表示部に配置される裸眼立体視用パネルの着脱を判定する。表示制御部は判定部の判定に基づいて、表示部に二次元映像又は三次元映像を選択して表示させる。
【００１０】
なお、本明細書でいう「裸眼立体視用パネル」とは、ユーザが表示部に表示される三次元映像を裸眼により視認可能とするパネルのことをいう。
【００１１】
また、本開示の裸眼立体視用パネルは、パネル本体と、識別部とを備えている。パネル本体は二次元映像又は三次元映像を選択して表示可能な画像表示装置に着脱可能に取り付けられる。また、識別部は、パネル本体に設けられ、画像表示装置の判定部によりパネル本体の着脱を認識させる。
【発明の効果】
【００１２】
本開示の画像表示装置によれば、判定部が裸眼立体視用パネルの着脱を判定するため、手動で切り替えることなく二次元映像又は三次元映像を自動的に選択して表示部に表示することができる。
【００１３】
また、本開示の裸眼立体視用パネルによれば、識別部を有するため、画像表示装置の表示部に裸眼立体視用パネルが装着されたか否かを容易に判定することができる。
【図面の簡単な説明】
【００１４】
【図１】本開示の一実施形態に係る画像表示装置を示す斜視図である。図１（ａ）は画像表示装置の表示部に裸眼立体視用パネルを装着する前の状態を示す斜視図、図１（ｂ）は画像表示装置の表示部に裸眼立体視用パネルを装着した状態を示す斜視図である。
【図２】本開示の一実施形態に係る画像表示装置の構成を示すブロック図である。
【図３】本開示の一実施形態に係る画像表示装置に裸眼立体視用パネルを装着した際を示す上断面図である。
【図４】本開示の一実施形態に係る画像表示装置に裸眼立体視用パネルを装着した際の要部を示す上断面図である。
【図５】本開示の一実施形態に係る画像表示装置に裸眼立体視用パネルを装着する前の状態における撮像部が撮像した画像の一例を示す図である。
【図６】本開示の一実施形態に係る画像表示装置に裸眼立体視用パネルを装着した状態における撮像部が撮像した画像の一例を示す図である。
【図７】本開示の一実施形態に係る画像表示装置の表示部に二次元映像が表示されている状態における映像の切替の処理例を示すフローチャートである。
【図８】本開示の一実施形態に係る画像表示装置の表示部に三次元映像が表示されている状態における映像の切替の処理例を示すフローチャートである。
【図９】本開示の他の実施形態に係る裸眼立体視用パネルにおける識別部を示す図である。
【図１０】本開示の他の実施形態に係る裸眼立体視用パネルを初めて装着した状態における撮像部が撮像した画像を示す図である。
【図１１】本開示の他の実施形態に係る裸眼立体視用パネルを２回目以降に装着した場合における撮像部が撮像した画像の一例を示す図である。
【図１２】本開示の一実施形態に係る画像表示装置の表示部に表示する映像の表示位置の調整の処理例を示すフローチャートである。
【図１３】本開示の他の実施形態に係る裸眼立体視用パネルにおける識別部を示す図である。
【図１４】本開示の一実施形態に係る画像表示装置の表示部に装着する裸眼立体視用パネルが表示部に適合するか否かの判定を行う処理例を示すフローチャートである。
【発明を実施するための形態】
【００１５】
以下に、本開示の画像表示装置及び裸眼立体視用パネルの実施形態例について、図１〜図１４を参照して説明する。なお、各図において共通の部材には、同一の符号を付している。また、本開示は、以下の形態に限定されるものではない。
なお、説明は以下の順序で行う。
１．画像表示装置の構成例
２．裸眼立体視用パネルの構成例
３．裸眼立体視用パネルの装着方法
４．画像表示装置の動作例
５．裸眼立体視用パネルにおける識別部の他の構成例
【００１６】
＜１．画像表示装置の構成例＞
まず、本開示の画像表示装置の一実施形態例（以下、「本例」という。）について、図１及び図２を参照して説明する。
図１（ａ）は本例の画像表示装置に裸眼立体視用パネルを装着する前の状態を示す斜視図、図１（ｂ）本例の画像表示装置に裸眼立体視用パネルを装着した状態を示す斜視図である。また、図２は本例の画像表示装置の構成を示すブロック図である。
【００１７】
図１（ａ）に示すように、本例の画像表示装置１００には、本体部１と、表示部２と、本体部１と表示部２を回動可能に連結するヒンジ機構３とを備えている。
【００１８】
［本体部］
本体部１は、扁平な略直方体状に形成されている。この本体部１には、略長方形状の主面部１ａと、２つの側面部１ｂと、正面部１ｃと、背面部１ｄと、載置面部１ｅとを有している。主面部１ａにおける長手方向の両端には、２つの側面部１ｂが配置されている。この２つの側面部１ｂは、主面部１ａに対して略垂直に形成されている。
【００１９】
主面部１ａにおける短手方向の一端には、正面部１ｃが連続して形成されている。また、主面部１ａにおける短手方向の他端には、背面部１ｄが設けられている。この背面部１ｄは、正面部１ｃと対向して配置されている。また、載置面部１ｅは、主面部１ａに対向して形成されている。
【００２０】
主面部１ａには、入力部４が設けられている。この入力部４は、多数のキーからなるキー式入力部４ａと、ポインティングデバイスの一種であるタッチ式入力部４ｂから構成される。入力部４から制御信号が入力され、所定の情報処理等が行われる。タッチ式入力部４ｂの入力方式としては、例えば静電容量方式や抵抗膜方式等が挙げられる。
【００２１】
側面部１ｂには、外付けハードディスクドライブやＵＳＢフラッシュメモリ等の外部装置と接続するための接続端子５が設けられている。
【００２２】
また、背面部１ｄの左右両端部には、ヒンジ機構３が設けられている。このヒンジ機構３は、本体部１に対して表示部２を回動可能に連結する。そして、ヒンジ機構３は、表示部２が本体部１に対して、任意の角度で傾斜した姿勢を保持できるように構成されている。
【００２３】
［表示部］
次に、表示部２について説明する。
図１（ａ）に示すように、表示部２は、扁平な略直方体状に形成されている。この表示部２は、表示パネル２１と、前面板２２と、背面板２３とを有している。さらに、表示部２には、撮像部２４が内蔵されている。
【００２４】
表示パネル２１としては、例えば、液晶ディスプレイや有機ＥＬ（Electro Luminescence）ディスプレイ、表面電界ディスプレイ等が挙げられる。この表示パネル２１と背面板２３との間には、図示しないが、表示パネル２１の背面側に光を当てるバックライトや、表示パネル２１の画面を制御する制御装置が搭載された配線基板等が収納されている。これにより、表示パネル２１に、各種の情報や二次元映像又は三次元映像を表示することができる。
【００２５】
前面板２２は、略長方形状の平板として形成されている。前面板２２には、第１開口部２２ａと第２開口部２２ｂが設けられている。表示パネル２１は、前面板２２に図示しないフレーム部材を介して固定される。前面板２２に固定された表示パネル２１は、第１開口部２２ａから露出する。そのため、第１開口部２２ａの大きさは、表示パネル２１の大きさに合わせて設定される。
【００２６】
第２開口部２２ｂは、前面板２２の一方の長辺部における中央に設けられている。第２開口部２２ｂからは、背面板２３に固定された撮像部２４が露出する。そのため、第２開口部２２ｂの大きさは、撮像部２４の大きさに合わせて設定されている。
【００２７】
背面板２３は、前面板２２と同様に、略長方形状をなす平板に形成されている。この背面板２３は、表示パネル２１の表示面の反対側に配置されて、表示パネル２１の背面及び前面板２２を全て覆っている(図３参照)。
【００２８】
撮像部２４は、背面板２３に固定されて、表示部２に内蔵されている。この撮像部２４は、第２開口部２２ｂと重なる位置に設けられており、第２開口部２２ｂから露出する。撮像部２４は、顔認識に用いる画像や判定部６が行う判定に用いる画像を撮像する。また、ユーザの位置を把握するために、撮像部２４が撮像した画像を用いている。
【００２９】
図２に示すように、画像表示装置１００は、判定部６と、記憶部７と、算出部８と、表示制御部９と、を備えている。判定部６、記憶部７及び算出部８には、撮像部２４（図１（ａ）参照）が撮像した画像データが入力される。判定部６は、この画像データに基づいて裸眼立体視用パネル３０の着脱の判定を行う。そして、この判定部６によって判定した判定データは、表示制御部９に入力される。また、記憶部７は、裸眼立体視用パネル３０パネルを表示部２に初めて装着した際に、撮像部２４が撮像した画像から表示部２に対する裸眼立体視用パネル３０の位置情報を取得し記憶する。
【００３０】
裸眼立体視用パネル３０を表示部２に２回目以降に装着した場合、算出部８は撮像部２４が撮像した画像から取得した表示部２に対する裸眼立体視用パネル３０の位置情報と、記憶部７で記憶した裸眼立体視用パネル３０の位置情報とを比較して校正値を算出する。そして、算出部８が算出した校正値は、表示制御部９に入力される。表示制御部９は、判定部６の判定に基づいて、二次元映像又は三次元映像を選択して表示部２に表示させる。また、表示制御部９は、算出部８が算出した校正値に基づいて映像の表示位置を調整した三次元映像を表示部２に表示させる。さらに、表示制御部９は、撮像部２４が撮像した画像を用いてユーザの位置を把握し、表示部２に表示させる三次元映像の微調整を行う。なお、画像表示装置１００の詳細な動作については、後述する。
【００３１】
なお、本開示では、画像表示装置の一例としてノート型パーソナルコンピュータを適用した例を説明したが、これに限定されない。例えば、画像表示装置の他の例としては、デスクトップ型パーソナルコンピュータやテレビ受像機、携帯端末等が挙げられる。
【００３２】
＜２．裸眼立体視用パネルの構成例＞
次に、裸眼立体視用パネル３０の一実施形態例について、図１（ａ）、図１（ｂ）を参照して説明する。
【００３３】
図１（ａ）に示すように、裸眼立体視用パネル３０は、略長方形の平板状に形成されたパネル本体３５と、２つの取付部３３から構成されている。このパネル本体３５は、透過部３１と、識別部３２とを有している。
【００３４】
透過部３１は、例えば、レンチキュラーレンズにより構成される。表示部２に表示された映像が透過部３１を通過すると、ユーザが裸眼により三次元映像を見ることができる。
【００３５】
識別部３２は、パネル本体３５における長手方向の中央部、かつ、パネル本体３５における短手方向の一端に形成されている。図１（ｂ）に示すように、この識別部３２は、裸眼立体視用パネル３０を表示部２に装着した際に、表示部２における撮像部２４の位置と重なる位置に設けられている。また、識別部３２の大きさは、撮像部２４の撮像範囲に合わせて設定される。
【００３６】
識別部３２は、全体に識別用の色が着けられて形成されている。識別部３２の全体に着けられている色は、画像表示装置１００が顔認識を行う際に撮像部２４が撮像する画像に影響を与えない色により構成されている。画像表示装置１００の顔認識に影響を与えない色としては、例えば、撮像部２４が撮像した画像の輝度にあまり影響を与えない色等が挙げられる。
【００３７】
また、着色されたシールを貼付することにより、識別部３２を形成してもよい。本開示では、識別部３２を顔認識に用いる画像に影響を与えない色により形成されているが、顔認識に用いる画像に影響を与えない形状により識別部３２を形成してもよい。さらに、顔認識に用いる画像に影響を与える色又は形状により識別部３２を構成してもよい。
【００３８】
なお、顔認識に影響のある色又は形状により識別部３２を構成する場合には、顔認識に影響のない位置に識別部３２を配置することが好ましい。顔認識に影響のない位置としては、例えば、撮像部２４が撮像した画像の角部等が挙げられる。
【００３９】
２つの取付部３３は、パネル本体３５における長手方向の両端にそれぞれ固定されている。取付部３３の固定方法としては、レーザー溶着や接着剤による固定方法の他に、パネル本体３５の長手方向の両端に開口部を設け、この開口部に取付部３３を差し込むことで取付部３３を固定してもよい。この取付部３３は、略Ｖ字型に形成されており、図１（ｂ）に示すように、表示部２に裸眼立体視用パネル３０を装着する際に、前面板２２と背面板２３を挟持する（図３参照）。
【００４０】
そして、２つの取付部３３は弾性材料により形成されおり、第１の取付部３３ａと、第２の取付部３３ｂから構成される。第１の取付部３３ａは、パネル本体３５の長手方向の一端部に配置され、第２の取付部３３ｂは、パネル本体３５の長手方向の他端部に配置される。第１の取付部３３ａの弾性率は第２の取付部３３ｂの弾性率と異なっており、第１の取付部３３ａの弾性率が第２の取付部３３ｂの弾性率よりも大きい。
【００４１】
なお、取付部３３を１つだけ設ける構成とすると位置合わせの精度が低くなるため、パネル本体３５には取付部３３を２つ以上設けることが望ましい。本開示では、取付部３３を２つ設けているが、取付部３３を３つ以上設けてもよい。これにより、裸眼立体視用パネル３０の位置合わせの精度が向上する。
【００４２】
＜３．裸眼立体視用パネルの装着方法＞
次に、裸眼立体視用パネル３０の装着方法について、図１（ｂ）、図３及び図４を参照して説明する。
図３は、図１（ｂ）における画像表示装置の上断面図である。また、図４は図３に示す画像表示装置における要部を示す断面図である。
【００４３】
まず、ユーザは裸眼立体視用パネル３０の取付部３３を把持する。次いで、図３及び図４に示すように把持した取付部３３のうち弾性率が大きい第１の取付部３３ａを表示部２の背面板２３に掛けて装着する。その後、第１の取付部３３ａより弾性率が小さい第２の取付部３３ｂを表示部２の背面板２３に掛けて装着する。このとき、裸眼立体視用パネル３０の透過部３１が表示部２の表示パネル２１及び前面板２２に当接する。その結果、２つの取付部３３の保持力により、裸眼立体視用パネル３０の透過部３１と表示パネル２１が密着する。
【００４４】
次に、裸眼立体視用パネル３０の上下方向の位置合わせを行う。裸眼立体視用パネル３０を表示部２の短手方向の本体部１側に移動させて、パネル本体３５の下面を第１開口部２２ａの下面に当接させる。これにより、図１（ｂ）に示すように、裸眼立体視用パネル３０の識別部３２が撮像部２４の位置と重なる。そして、裸眼立体視用パネル３０の装着が完了する。なお、パネル本体３５の下面を主面部１ａやヒンジ機構３に当接させるようにしてもよい。
【００４５】
裸眼立体視用パネルのパネル本体に切欠を設けて、表示部に対して位置合わせを行うことも考えられる。パネル本体に切欠を設けるには、画像表示装置の表示部を設計する際にパネル本体の切欠について予め考慮する必要がある。そのため、画像表示装置の表示部にかかるコストが大きくなってしまう。
パネル本体の切欠について考慮されていない画像表示装置、例えば、すでに発売されている画像表示装置等における表示部に裸眼立体視用パネルを装着することは困難である。  また、パネル本体に切欠を設けると、パネル本体の切欠と表示部の間に隙間が生じる。そして、この隙間があることで裸眼立体視用パネルの装着位置が安定せず、裸眼立体視用パネルの装着位置の誤差が大きくなる。そのため、位置合わせの精度が低下し、後述するキャリブレーションをすることが困難となる。したがって、表示部２に表示部する映像の表示位置の調整が困難となる。これらの理由により、裸眼立体視用パネルのパネル本体に切欠を設けることは好ましくない。
【００４６】
これに対し、本開示の裸眼立体視用パネル３０における２つの取付部３３ａ，３３ｂは弾性率が異なっている。そして、第１の取付部３３ａは第２の取付部３３ｂよりも弾性率が大きい。裸眼立体視用パネル３０を装着すると、裸眼立体視用パネル３０は、パネル本体３５の長手方向において、弾性率が大きい第１の取付部３３ａ側に寄る。また、裸眼立体視用パネル３０は、パネル本体３５の短手方向の他端が本体部１の主面部１ａ及びヒンジ機構３に当接する。そのため、パネル本体３５の長手方向における第１の取付部３３ａ側と、パネル本体３５における短手方向の他端が位置合わせの基準となる。この基準を設けたことで、裸眼立体視用パネル３０を表示部２に対して略同じ位置に装着することができるとともに、装着位置の誤差を少なくすることができる。その結果、裸眼立体視用パネル３０の位置合わせの精度が向上する。そして、予め画像表示装置の表示部の設計の際にパネル本体の切欠について考慮する必要がなくなり、画像表示装置の表示部の設計に関するコストを小さくすることができる。また、すでに発売されている画像表示装置に対しても裸眼立体視用パネル３０を装着することができ、汎用性を高めることができる。
【００４７】
＜４．画像表示装置の動作例＞
次に、画像表示装置１００の動作の一例について説明する。
画像表示装置１００は、裸眼立体視用パネル３０の着脱の判定と、二次元映像又は三次元映像を選択して自動的に切り替える自動切替と、裸眼立体視用パネルの装着位置により三次元映像の表示位置を自動的に調整する自動調整とを行う。
【００４８】
［裸眼立体視用パネルの着脱判定例］
裸眼立体視用パネル３０の着脱の判定例について、図１、図５及び図６を参照して説明する。
図５は本例の画像表示装置１００に裸眼立体視用パネル３０を装着する前の状態における撮像部２４が撮像した画像を示す図である。図６は本例の画像表示装置１００に装着された裸眼立体視用パネル３０を撮像部２４が撮像した画像を示す図である。
【００４９】
まず、裸眼立体視用パネル３０を装着する前の状態（図１（ａ）参照）において、撮像部２４が撮像して図５に示す画像Ｐ１を取得する。このときの画像Ｐ１には、ユーザＵのみが写っており、色の変化がない。その結果、判定部６は、画像Ｐ１から色の変化がないと判定し、裸眼立体視用パネル３０が表示部２に装着されていないと判定する。
【００５０】
次に、図１（ｂ）に示すように、ユーザは裸眼立体視用パネル３０を表示部２に装着する。裸眼立体視用パネル３０が表示部２に装着された後に、撮像部２４は撮像して図６に示す画像Ｐ２を取得する。このとき撮像部２４の位置は、裸眼立体視用パネル３０の識別部３２と重なるため、取得した画像Ｐ２には、ユーザＵの他に、裸眼立体視用パネル３０の識別部３２が写り、色の変化が生じる。判定部６は、画像Ｐ２から色の変化があると判定し、裸眼立体視用パネル３０が表示部２に装着されていると判定する。
【００５１】
このように、画像表示装置１００に顔認識用やウエブカメラとして設けられた撮像部を利用して、裸眼立体視用パネルの着脱の判定を行っている。そのため、着脱判定を行うスイッチやカメラ等を新たに設ける必要がなく、画像表示装置の設計コストを削減することができる。また、画像表示装置において、着脱の判定をウエブカメラとソフトウエアで制御しているため、着脱の判定に関するソフトウエアのアップデートをすることだけで、裸眼立体視用パネル３０を多機種の画像表示装置に対して容易に対応させることができる。
【００５２】
画像表示装置１００の動作の一例として、色の変化により、裸眼立体視用パネル３０の着脱について判定したがこれに限定されない。取得する画像に変化があればよく、例えば、識別部に複数の点や線を設けて、取得する画像に変化を与えてもよい。
【００５３】
［表示映像の切替］
次に、表示部２に表示する映像の切替について図５〜図８を参照して説明する。
図７は本例の画像表示装置の表示部に二次元映像が表示されている状態における映像の切替の処理例を示すフローチャート、図８は本例の画像表示装置の表示部に三次元映像が表示されている状態における映像の切替の処理例を示すフローチャートである。
【００５４】
裸眼立体視用パネルはプラスチック等で構成されているため、電気的な機構を設けることができない。このような裸眼立体視用パネルでは、裸眼立体視用パネルの着脱を自動的に判定することはできない。そのため、画像表示装置の表示部に裸眼立体視用パネルの着脱のガイドを表示させることも考えられている。
【００５５】
裸眼立体視用パネルを表示部に装着する場合、表示部には二次元映像の装着のガイドが表示される。ユーザは装着のガイドに従って裸眼立体視用パネルを表示部に装着すると、二次元映像で表示部に表示されている装着のガイドが裸眼立体視用パネルに覆われる。そのため、ユーザは、二次元映像で表示されている装着のガイドを視認することが困難となり、装着のガイドを解読できなくなってしまう問題があった。
【００５６】
また、裸眼立体視用パネルを表示部から取り外す場合、表示部に裸眼立体視用パネルが装着されているため、表示部には三次元映像の取り外しのガイドが表示される。ユーザは取り外しのガイドに従って裸眼立体視用パネルを表示部から取り外す。しかし、ユーザは、裸眼立体視用パネルを介さないと、表示部に表示されている三次元映像を視認することができない。そのため、ユーザは、三次元映像で表示されている取り外しのガイドを視認することが困難となり、取り外しのガイドを解読できなくなってしまう問題もあった。
【００５７】
この問題を解消するために、本開示の画像表示装置１００では、後述するように表示部２に表示されている映像を裸眼立体視用パネル３０の着脱に対応させて二次元映像又は三次元映像に自動的に切り替える。
【００５８】
まず、表示部２に二次元映像が表示されている状態における処理例について図７を参照して説明する。
図７に示すように、ユーザは画像表示装置１００を起動させると、画像表示装置１００の表示部２には二次元映像を表示される（ステップＳ１）。そして、裸眼立体視用パネル３０の着脱の判定の際に用いた画像Ｐ１，Ｐ２（図５及び図６参照）から、識別部３２を認識できたか否かの判定を行う（ステップＳ２）。ここでは、一例として、色の変化が起こったか否かの判定を行う。
【００５９】
図５に示す裸眼立体視用パネル３０が装着される前の状態の画像Ｐ１では、画像の色に変化が起こっていない。撮像部２４が撮像した画像の色に変化がなかった場合、判定部６は裸眼立体視用パネル３０が表示部２に装着されていないと判定する（ステップＳ２のＮＯ）。
【００６０】
裸眼立体視用パネル３０が表示部２に装着されていないと判定されたとき（ステップＳ２のＮＯ）、表示制御部９は、引き続き二次元映像を表示部２に表示するように指令を出す。その結果、画像表示装置１００は、表示部２に二次元映像が表示された状態に保たれる（ステップＳ３）。
【００６１】
図６に示す裸眼立体視用パネル３０が装着された後の状態の画像Ｐ２には、識別部３２が写り、画像Ｐ２全体に色が着いている。このように、画像に色が着いている場合、判定部６は、識別部３２を認識し、裸眼立体視用パネル３０が表示部２に装着されていると判定する（ステップＳ２のＹＥＳ）。
【００６２】
裸眼立体視用パネル３０が表示部２に装着されていると判定されたとき（ステップＳ２のＹＥＳ）、表示制御部９は、二次元映像から三次元映像に切り替えて、三次元映像を表示部２に表示するように指令を出す。これにより、三次元映像が表示部２に表示される（ステップＳ４）。
【００６３】
次に、表示部２に三次元映像が表示されている状態における処理例について図８を参照して説明する。
図８に示すように、裸眼立体視用パネル３０が表示部２に装着されている状態では、表示部２に三次元映像が表示されている（ステップＳ１１）。そして、撮像部２４は、裸眼立体視用パネル３０の着脱の判定の際に用いる画像を撮像し取得する。その後、判定部６は、取得した画像から、識別部３２を認識できたか否か（例えば、色の変化が起こったか否か）の判定を行う（ステップＳ１２）。
【００６４】
三次元映像が表示部２に表示されている状態において、ユーザが裸眼立体視用パネル３０を取り外すと、撮像部２４の撮像により、図５に示す画像Ｐ１と同様に着色されていない画像が得られる。したがって、判定部６は裸眼立体視用パネル３０が装着されていないと判定する（ステップＳ１２のＮＯ）。
【００６５】
裸眼立体視用パネル３０が装着されていないと判定されたとき（ステップＳ１２のＮＯ）、表示制御部９は、三次元映像から二次元映像に切り替えて、二次元映像を表示部２に表示するように指令を出す。その結果、表示部２には、二次元映像が表示される（ステップＳ１３）。
【００６６】
一方、三次元映像が表示部２に表示されている状態において、ユーザが裸眼立体視用パネル３０を取り外すまでは、図６に示す画像Ｐ２と同様に着色された画像が得られる。判定部６は、識別部３２を認識し、裸眼立体視用パネル３０が表示部２に装着されている状態であると判定する（ステップＳ１２のＹＥＳ）。そのため、画像表示装置１００は、表示部２に三次元映像が表示された状態に保たれる（ステップＳ１４）。
【００６７】
本処理例では、撮像部２４が撮像する識別部３２全体に色をつけているが、撮像の環境、例えば、撮像場所に明るさや暗さによって、判定部６の判定に誤りが発生しうる。そのため、識別部３２の半分を着色したり、角部等に着色してもよい。これにより、撮像の環境による判定部６の認識の誤りを低下することができる。
【００６８】
また、画像表示装置１００に適合しない裸眼立体視用パネルが装着された場合は、裸眼立体視用パネル３０が装着されていない状態と同様に、二次元映像を表示部２に表示する。
【００６９】
なお、二次元映像と三次元映像の切り替えを、三次元映像に対応したアプリケーションの表示領域のみで行ってもよい。また、表示部全体が三次元映像に対応している場合は、表示部全体で二次元映像と三次元映像の切り替えを行ってもよい。
【００７０】
また、表示部２に表示される映像が裸眼立体視用パネル３０の着脱に対応して二次元映像又は三次元映像に自動的に選択されるため、ユーザの状態にあった映像を表示させることができる。その結果、裸眼立体視用パネルの着脱のガイドのようなユーザインタフェースを実装して、画像表示装置の表示部に表示させる必要がない。
【００７１】
［三次元映像における表示位置の自動調整］
次に、表示部２に表示する映像の自動調整について、図９〜図１２を参照して説明する。
図９は他の実施形態に係る裸眼立体視用パネルにおける識別部を示す図、図１０は他の実施形態に係る裸眼立体視用パネルを初めて装着した際における撮像部が撮像した画像を示す図である。また、図１１は他の実施形態に係る裸眼立体視用パネルを２回目以降に装着した際における撮像部が撮像した画像の一例を示す図、図１２は本例の画像表示装置の表示部に表示する映像の表示位置の調整の処理例を示すフローチャートである。
【００７２】
レンチキュラーレンズシートに形成されたアライメントラインに基づいて手動で位置合わせを行うことも考えられる。このような状況では、裸眼立体視用パネルの装着位置が毎回異なってしまい、位置合わせの精度が低下していた。また、裸眼立体視用パネルと表示部の表示パネルの位置関係は数μｍ〜数十μｍで調整される必要がある。その結果、位置合わせの精度が低下により、左右の視点が逆になって奥行き感が反転した、いわゆる逆視の状態になりやすいという問題があった。
【００７３】
この問題を解消するために、本開示の画像表示装置１００では、後述するように表示部２に表示される映像の表示位置を自動的に調整する。
【００７４】
他の実施形態例に係る裸眼立体視用パネル１３０が一実施形態例に係る裸眼立体視用パネル３０と異なるところは、識別部である。裸眼立体視用パネル１３０が一実施形態例に係る裸眼立体視用パネル３０と共通する部分については同一の符号を付して説明を省略する。裸眼立体視用パネル１３０は、透過部３１と、識別部１３２と、取付部３３とを有している。
【００７５】
図９に示すように、識別部１３２は略長方形状に形成されている。この識別部１３２には、短手方向に平行な線１３２ａと、長手方向に平行な線１３２ｂが設けられている。これらの２本の線１３２ａ，１３２ｂは、識別部１３２の中心で交差して、十字形状を形成している。なお、この裸眼立体視用パネル１３０の識別部１３２は、識別部３２と同様に、裸眼立体視用パネルの着脱の判定及び表示部２に表示する映像の切替に用いられる。
【００７６】
次に、図１０〜図１２を参照して、映像の表示位置を調整する処理例について説明する。
【００７７】
図１２に示すように、ユーザは画像表示装置１００を起動すると、表示部２に二次元映像が表示される（ステップＳ２１）。ユーザは、裸眼立体視用パネル１３０を画像表示装置１００の表示部２に装着する（ステップＳ２２）。そして、撮像部２４は、識別部１３２を撮像し、図１０に示す画像Ｐ３を取得する。
【００７８】
判定部６は、取得した画像Ｐ３から、裸眼立体視用パネルの着脱の判定を行う（ステップＳ２３）。なお、裸眼立体視用パネル１３０の着脱の判定については、上述した判定方法と同様であるため、その説明を省略する。
【００７９】
次に、裸眼立体視用パネル１３０が装着されていると判定されると、三次元映像が表示部２に表示される。次いで、判定部６は裸眼立体視用パネル１３０の装着が初回であるか否かを判定する（ステップＳ２４）。裸眼立体視用パネル１３０の装着が初めてである場合（ステップＳ２４のＹＥＳ）、記憶部７には裸眼立体視用パネル１３０の位置情報が記憶されていない。そのため、ユーザは入力部４によりキャリブレーションを実行する必要がある。ここで、キャリブレーションとは、裸眼立体視用パネル１３０に対する表示部２の表示位置を所定の位置、裸眼で三次元映像を視認可能な位置に合わせる処理をいう。
【００８０】
画像表示装置１００は、ユーザに対して、キャリブレーションを行うように指令を出す（ステップＳ２５）。ユーザは、画像表示装置１００の指令に従い、キャリブレーションを行う（ステップＳ２６）。
【００８１】
キャリブレーションが完了すると、表示部２に対する識別部１３２の位置情報（裸眼立体視用パネル１３０の位置情報）が記憶部７に記憶され（ステップＳ２７）終了する。このとき、記憶部７に記憶された識別部１３２の位置情報を初期値Ｘ０，Ｙ０とする。なお、初期値Ｘ０は、撮像部２４が撮像した画像の長手方向をＸ方向とした場合における識別部１３２の線１３２ａのＸ方向の位置とする。初期値Ｙ０は撮像部２４が撮像した画像の短手方向をＹ方向とした場合における識別部１３２の線１３２ｂのＹ方向の位置とする。
【００８２】
裸眼立体視用パネル１３０の装着が２回目以降である場合は（ステップＳ２４のＮＯ）、撮像部２４により撮像した識別部１３２の位置情報が初期値Ｘ０，Ｙ０に対してずれている可能性がある。そのため、２回目以降に撮像部２４が撮像した識別部１３２の画像から取得した識別部１３２の位置情報と初期値Ｘ０，Ｙ０を比較する。
【００８３】
算出部８は、図１１（ａ）に示す画像Ｐ４から識別部１３２の位置情報Ｘ１，Ｙ１を取得する（ステップＳ２８）。その後、算出部８は取得した識別部１３２の位置情報Ｘ１，Ｙ１と初期値Ｘ０，Ｙ０とを比較して（ステップＳ２９）、画像Ｐ３に対する画像Ｐ４のＸ方向のずれ量ｑ１及びＹ方向のずれ量ｒ１を計測する（ステップＳ３０）。
【００８４】
そして、算出部８は、計測されたずれ量ｑ１及びｒ１から、表示部２に表示する映像の表示位置を修正するための修正量（校正値）を算出する（ステップＳ３１）。次に、算出部８は、算出した修正量（校正値）を表示制御部９に送る。表示制御部９は、修正量（校正値）に基づいて表示部２に表示する映像の表示位置を調整する（ステップＳ３２）。表示位置が調整された映像が表示部２に表示されて、映像の表示位置の調整処理が終了する。
【００８５】
図１１（ｂ）に示すように、裸眼立体視用パネル１３０が適正の位置に対して回転して装着される場合がある。この場合でも、算出部８は、画像Ｐ４と同様に、識別部１３２の画像Ｐ５から識別部１３２の位置情報Ｘ２，Ｙ２及び、傾きθを取得し、初期値Ｘ０，Ｙ０と比較する。その後、画像のＸ方向のずれ量ｑ２及びＹ方向のずれ量ｒ２を計測する。
【００８６】
そして、算出部８は、計測されたずれ量ｑ２、ｒ２及び傾きθから、表示部２に表示する映像の表示位置を修正する修正量（校正値）を算出し、算出した修正量（校正値）を表示制御部９に送る。表示制御部９は、修正量（校正値）に基づいて表示部２に表示する映像の表示位置を調整し、表示部２に映像を表示させる。
【００８７】
本開示では、表示制御部９が表示部２に表示させる三次元映像の表示位置を自動的に調整するため、ユーザが手動で位置合わせを行う手間を省くことができる。また、裸眼立体視用パネル３０の装着位置が毎回変わる場合でも、初回（初期値）と比較して修正量を算出することで、表示部２に表示する映像の表示位置を高い精度で調整することができる。したがって、ユーザに対して表示される三次元映像が逆視の状態とならなくなり、良好な三次元映像を見ることができる。
【００８８】
なお、初回に行うキャリブレーション工程を画像表示装置の製造時に行ってもよい。これにより、ユーザによる初回のキャリブレーションの実行が不要となり、ユーザの操作がより簡易となる。
【００８９】
＜５．裸眼立体視用パネルにおける識別部の他の構成例＞
裸眼立体視用パネルの識別部の他の例について、図１３を参照して説明する。
図１３は本開示の他の実施形態に係る裸眼立体視用パネル２３０における識別部を示す図である。
【００９０】
他の実施形態例に係る裸眼立体視用パネル２３０が一実施形態例に係る裸眼立体視用パネル３０と異なるところは、識別部である。ここでは、識別部に関連する事項について説明し、一実施形態例に係る裸眼立体視用パネル３０と共通する部分については説明を省略する。
【００９１】
裸眼立体視用パネル２３０は、透過部３１と、識別部２３２と、２つの取付部３３を有している。図１３に示すように、識別部２３２には、例えば、二次元バーコードマーク２３２ａが設けられている。この二次元バーコードマーク２３２ａは、例えば、裸眼立体視用パネル２３０の解像度、サイズ（大きさや厚さなど）、バージョン等の情報を有する。
【００９２】
次に、識別部２３２が有する情報を用いて画像表示装置１００に裸眼立体視用パネル２３０が適合するか否かの判定について図１４を参照して説明する。
図１４は本例の画像表示装置に装着する裸眼立体視用パネルが表示部に適合するか否かの判定を行う処理例を示すフローチャートである。
【００９３】
本処理例では、例えば、高解像度の表示部に対して高解像度用の裸眼立体視用パネルが装着されると、表示部２に適正な映像が表示されるため、判定部６は裸眼立体視用パネルが表示部に適合すると判定する。また、高解像度の表示部に対して低解像度用の裸眼立体視用パネルが装着されると、表示部２に適正な映像が表示されないため、判定部６は裸眼立体視用パネルが表示部に適合しないと判定する。
【００９４】
図１４に示すように、裸眼立体視用パネル２３０が表示部２に装着されると（ステップＳ４１）、撮像部２４が裸眼立体視用パネル２３０の識別部２３２を撮像する。そして、判定部６では、裸眼立体視用パネル２３０の着脱の判定と合わせて、裸眼立体視用パネル２３０が画像表示装置１００に適合するか否かの判定を行う（ステップＳ４２）。
【００９５】
この場合、まず判定部６は、識別部２３２の二次元バーコードマーク２３２ａが有する情報を取得する。そして、判定部６は、二次元バーコードマーク２３２ａから取得した情報と画像表示装置１００に適合する裸眼立体視用パネルの情報とを比較して、表示部２に装着された裸眼立体視用パネル３０が画像表示装置１００に適合するか否かの判定を行う。
【００９６】
裸眼立体視用パネル２３０が画像表示装置１００に適合しない場合には（ステップＳ４２のＮＯ）、画像表示装置１００に装着された裸眼立体視用パネル２３０が適合しない旨を表示部２の表示パネル２１に表示し、ユーザに知らせる（ステップＳ４３）。
【００９７】
ユーザが画像表示装置１００に適合する裸眼立体視用パネル２３０に取り替えると（ステップＳ４４）、上記と同様に、再び識別部２３２が撮像される。判定部６は、撮像された識別部２３２の画像から、裸眼立体視用パネル２３０の着脱の判定と合わせて、裸眼立体視用パネル２３０が画像表示装置１００に適合するか否かの判定を行う（ステップＳ４２）。
【００９８】
裸眼立体視用パネル２３０が画像表示装置１００に適合するまで、判定部６は裸眼立体視用パネル２３０が画像表示装置１００に適合するか否かの判定が行われる。
【００９９】
裸眼立体視用パネル２３０が画像表示装置１００に適合する場合には（ステップＳ４２のＹＥＳ）、裸眼立体視用パネル２３０が画像表示装置１００に適合するか否かの判定を終了させる。その後、キャリブレーションあるいは表示部２に表示する映像の調整が行われ、映像が二次元映像から三次元映像に切り替わる（図７及び図１２参照）。
【０１００】
裸眼立体視用パネル２３０の識別部２３２に形成する情報としては、解像度、サイズ、バージョンに限定されない。例えば、裸眼立体視用パネルの厚み、レンズピッチ、傾き、レンズ形状等の光学的な情報や対象機種情報等を含めてもよい。これにより、ソフトウエアによる管理が不要となる。
【０１０１】
その他の構成は、上述した一実施の形態例に係る裸眼立体視用パネル３０と同様であるため、それらの説明は省略する。このような構成を有する裸眼立体視用パネル２３０によっても、上述した一実施の形態例に係る裸眼立体視用パネル３０と同様の作用及び効果を得ることができる。
【０１０２】
なお、本開示は以下のような構成もとることができる。
（１）
二次元映像又は三次元映像を選択して表示可能な表示部と、
前記表示部に着脱可能に配置される裸眼立体視用パネルの着脱を判定する判定部と、
前記判定部の判定に基づいて、前記表示部に二次元映像又は三次元映像を選択して表示させる表示制御部と、
を備える画像表示装置。
（２）
前記裸眼立体視用パネルの少なくとも一部に設けられた識別部を撮像する撮像部を備え、
前記判定部は、前記撮像部が撮像した前記識別部の画像を用いて前記裸眼立体視用パネルの着脱を判定する
前記（１）記載の画像表示装置。
（３）
前記表示制御部は、
前記裸眼立体視用パネルの装着が初回の際に、前記撮像部が撮像した前記識別部の画像における位置情報を初期値として記憶する記憶部と、
前記記憶部に記憶された前記初期値と、前記裸眼立体視用パネルの装着が２回目以降の際に、前記撮像部が撮像した前記識別部の画像における位置情報を比較して、校正値を算出する算出部と、を有し、
前記裸眼立体視用パネルの装着が２回目以降である場合には、前記算出部により算出された前記校正値に基づいて三次元映像の表示位置を修正する
前記（２）記載の画像表示装置。
（４）
前記判定部は、前記裸眼立体視用パネルの前記識別部を用いて前記裸眼立体視用パネルが前記表示部に適合するか否かを判定する
前記（２）又は（３）記載の画像表示装置。
（５）
二次元映像又は三次元映像を選択して表示可能な画像表示装置に着脱可能に取り付けられるパネル本体と、
前記パネル本体に設けられ、前記画像表示装置の判定部により前記パネル本体の着脱を認識させる識別部と、
を備える裸眼立体視用パネル。
（６）
前記画像表示装置の撮像部は、顔認識用の画像を撮像し、
前記識別部は、前記撮像部が撮像する前記顔認識用の画像に影響を与えない色又は形状により形成される
前記（５）記載の裸眼立体視用パネル。
（７）
前記識別部は、前記パネル本体の大きさや厚さ、前記パネル本体における透過部の解像度のうち少なくとも１つを識別情報として有する
前記（５）又は（６）記載の裸眼立体視用パネル。
（８）
前記パネル本体を前記画像表示装置の表示部に着脱可能に装着する取付部を有する
前記（５）記載の裸眼立体視用パネル。
（９）
前記取付部は弾性材料で形成される
前記（８）記載の裸眼立体視用パネル。
（１０）
前記取付部は、
前記パネル本体の一端部に配置された第１の取付部と、
前記パネル本体の一端部と反対側にある他端部に配置され、前記第１の取付部の弾性率よりも小さい弾性率を有する第２の取付部と、からなる
前記（９）記載の裸眼立体視用パネル。
【０１０３】
なお、本開示は上述しかつ図面に示した実施の形態に限定されるものではなく、特許請求の範囲に記載した発明の要旨を逸脱しない範囲内で種々の変形実施が可能である。
【０１０４】
本開示では、画像表示装置の撮像部が裸眼立体視用パネルに設けられた識別部を認識し、これを利用して、上述した動作を行っている。そのため、裸眼立体視用パネルを様々な機種の画像表示装置に容易に対応させることができる。
【符号の説明】
【０１０５】
１…筐体、  ２…表示部、  ３…ヒンジ機構、  ４…入力部、  ５…接続端子、  ６…判定部、  ７…記憶部、  ８…算出部、  ９…表示制御部、  ２１…表示パネル、  ２２…前面板、  ２２ａ…第１開口部、  ２２ｂ…第２開口部、  ２３…背面板、  ２４…撮像部、  ３０，１３０，２３０…裸眼立体視用パネル、  ３１…透過部、  ３２，１３２，２３２…識別部、  ３３…取付部、  １００…画像表示装置、  Ｐ１，Ｐ２，Ｐ３，Ｐ４，Ｐ５…画像、  Ｘ０，Ｙ０…初期値
【図１】
2012256988.tif 000003
【図２】
2012256988.tif 000004
【図３】
2012256988.tif 000005
【図４】
2012256988.tif 000006
【図５】
2012256988.tif 000007
【図７】
2012256988.tif 000008
【図８】
2012256988.tif 000009
【図９】
2012256988.tif 000010
【図１２】
2012256988.tif 000011
【図１３】
2012256988.tif 000012
【図１４】
2012256988.tif 000013
【図６】
2012256988.tif 000014
【図１０】
2012256988.tif 000015
【図１１】
2012256988.tif 000016